(57)【要約】【課題】作業者が扱胴の周囲における穀稈の詰まり箇所を視認しながら操作部材を操作可能であり、かつ、手扱ぎ作業時に穀稈詰まりが発生した際に操作部材を容易に操作可能なコンバインが要望されている。【解決手段】コンバインに、扱胴を支持すると共に上下揺動可能な扱胴フレームと、扱胴フレームを上方に揺動させるシリンダと、シリンダを操作する操作スイッチ６２と、が備えられている。操作スイッチ６２は、脱穀装置１０のうちフィードチェーン９が位置する側の横側部における前端部に配置されている。【選択図】図６
2019097558.tif 000002
【特許請求の範囲】
【請求項１】
刈取穀稈を挟持搬送するフィードチェーンと、
扱胴を有すると共に前記フィードチェーンによって搬送される刈取穀稈を脱穀処理する脱穀装置と、が備えられたコンバインであって、
前記扱胴を支持すると共に上下揺動可能な扱胴フレームと、
前記扱胴フレームを上方に揺動させるアクチュエータと、
前記アクチュエータを操作する操作部材と、が備えられ、
前記操作部材は、前記脱穀装置のうち前記フィードチェーンが位置する側の横側部における前端部に配置されているコンバイン。
【請求項２】
前記操作部材は、前記フィードチェーンの搬送始端部に対応する高さに位置している請求項１に記載のコンバイン。
【請求項３】
前記横側部における機体最横外側に、サイドカバーが設けられ、
前記サイドカバーは、上側のカバー体と下側のカバー体とに上下に分割されて構成され、
前記操作部材は、前記上側のカバー体の前端部に対応する高さに位置している請求項１又は２に記載のコンバイン。
【請求項４】
前記上側のカバー体に、前記操作部材が露出する開口が形成されている請求項３に記載のコンバイン。
【請求項５】
前記フィードチェーンを案内支持するガイドフレームと、
前記操作部材を支持する支持部材と、が備えられ、
前記支持部材は、前記ガイドフレームに支持されている請求項１〜４の何れか一項に記載のコンバイン。
【請求項６】
前記支持部材と前記脱穀装置の壁部とを連結するステーが備えられている請求項５に記載のコンバイン。
【請求項７】
前記操作部材が、前記脱穀装置に支持されている請求項１〜６の何れか一項に記載のコンバイン。
【請求項８】
前記操作部材がフレームを介して前記脱穀装置の前端部に支持され、
前記フレームが、前記操作部材を支持するブラケットと、前記ブラケットと前記脱穀装置の前壁部とを連結するアームとを備えており、前記アームが、前記フィードチェーンにおける搬送側経路と、前記フィードチェーンにおける戻り側経路との間を通る位置に配置されている請求項７に記載のコンバイン。
【請求項９】
前記ブラケットが、前記操作部材を収容する収容部を有し、この収容部が下側に開放している請求項８に記載のコンバイン。
【請求項１０】
前記収容部の下方に、下側ほど機体横方向での内側に位置するように傾斜する傾斜板が備えられている請求項９に記載のコンバイン。
【請求項１１】
前記アームが、断面形状が縦長の板材で成る主アーム部と、この主アーム部に上端が接続し、かつ、下側ほど前記主アーム部から離間する傾斜姿勢の板材で成る補強アーム部とを備えている請求項８〜１０のいずれか一項に記載のコンバイン。
【請求項１２】
前記ブラケットが、前記横側部において最横外側に位置するサイドカバーの内側に設けられている請求項８〜１１のいずれか一項に記載のコンバイン。
【請求項１３】
前記操作部材が、前記横側部において最横外側に位置するサイドカバーよりも突出しない請求項７〜１２のいずれか一項に記載のコンバイン。
【発明の詳細な説明】
【技術分野】
【０００１】
本発明は、刈取穀稈を挟持搬送するフィードチェーンと、扱胴を有すると共に前記フィードチェーンによって搬送される刈取穀稈を脱穀処理する脱穀装置と、が備えられたコンバインに関する。
【背景技術】
【０００２】
上記のようなコンバインとして、例えば、特許文献１に記載のコンバインが既に知られている。特許文献１には、刈取穀稈を挟持搬送するフィードチェーン（文献では「フィードチェーン〔２０〕」）と、扱胴（文献では「扱胴〔１８〕」）を有すると共にフィードチェーンによって搬送される刈取穀稈を脱穀処理する脱穀装置（文献では「脱穀部〔１３〕」）と、が備えられたコンバインが開示されている。特許文献１に記載のコンバインには、扱胴を支持すると共に上下揺動可能な扱胴フレーム（文献では「上部ケース〔１２〕」）と、扱胴フレームを上方に揺動させるアクチュエータ（文献では「開閉駆動手段〔５１〕」）と、アクチュエータを操作する操作部材（文献では「指令手段〔４８〕」）と、が備えられている。特許文献１に記載のコンバインでは、操作部材を操作することによって、扱胴フレームが上昇することになり、扱胴フレームを所定の位置まで上昇させた状態で、扱胴の周囲に詰まった穀稈を除去することができる。
【先行技術文献】
【特許文献】
【０００３】
【特許文献１】特許第４６５８８８６号公報
【発明の概要】
【発明が解決しようとする課題】
【０００４】
特許文献１に記載のコンバインでは、操作部材が搭乗運転部に備えられている。このため、作業者が搭乗運転部で操作部材を操作する必要があり、扱胴の周囲における穀稈詰まり箇所を視認しながら操作部材を操作することができない。また、手扱ぎ作業時に穀稈詰まりが発生した際は、操作部材を操作するために搭乗運転部まで戻らなければならず、煩わしい。
【０００５】
上記状況に鑑み、作業者が扱胴の周囲における穀稈の詰まり箇所を視認しながら操作部材を操作可能であり、かつ、手扱ぎ作業時に穀稈詰まりが発生した際に操作部材を容易に操作可能なコンバインが要望されている。
【課題を解決するための手段】
【０００６】
本発明の特徴は、刈取穀稈を挟持搬送するフィードチェーンと、扱胴を有すると共に前記フィードチェーンによって搬送される刈取穀稈を脱穀処理する脱穀装置と、が備えられたコンバインであって、前記扱胴を支持すると共に上下揺動可能な扱胴フレームと、前記扱胴フレームを上方に揺動させるアクチュエータと、前記アクチュエータを操作する操作部材と、が備えられ、前記操作部材は、前記脱穀装置のうち前記フィードチェーンが位置する側の横側部における前端部に配置されていることにある。
【０００７】
本特徴構成によれば、操作部材が脱穀装置のうちフィードチェーンが位置する側の横側部における前端部に配置されていることにより、操作部材が脱穀装置の穀稈入口付近に位置することになる。これにより、作業者が扱胴の周囲における穀稈の詰まり箇所を視認しながら、操作部材を操作することができる。また、手扱ぎ作業時に穀稈詰まりが発生した際に、作業者が手扱ぎ作業箇所から操作部材に手を届かせて、操作部材を容易に操作することができる。
【０００８】
さらに、本発明において、前記操作部材は、前記フィードチェーンの搬送始端部に対応する高さに位置していると好適である。
【０００９】
本特徴構成によれば、フィードチェーンの搬送始端部は、通常、脱穀装置の上下中央部付近の高さに位置しているところ、操作部材がフィードチェーンの搬送始端部に対応する高さに位置していることにより、操作部材が操作部材の近くに立った作業者の目線の高さに近付くことなる。これにより、作業者が操作部材を視認し易く、かつ、腰を曲げずに楽な姿勢で操作することができる。また、操作部材が未刈り穀稈の高さよりも高い位置に位置することになり、この点からも操作部材の視認性や操作性を向上させることができる。
【００１０】
さらに、本発明において、前記横側部における機体最横外側に、サイドカバーが設けられ、前記サイドカバーは、上側のカバー体と下側のカバー体とに上下に分割されて構成され、前記操作部材は、前記上側のカバー体の前端部に対応する高さに位置していると好適である。
【００１１】
本特徴構成によれば、上側のカバー体は、下側のカバー体よりも上側に位置しているところ、操作部材が上側のカバー体の前端部に対応する高さに位置していることにより、操作部材が操作部材の近くに立った作業者の目線の高さに近付くことなる。これにより、作業者が操作部材を視認し易く、かつ、腰を曲げずに楽な姿勢で操作することができる。また、操作部材が未刈り穀稈の高さよりも高い位置に位置することになり、この点からも操作部材の視認性や操作性を向上させることができる。
【００１２】
さらに、本発明において、前記上側のカバー体に、前記操作部材が露出する開口が形成されていると好適である。
【００１３】
本特徴構成によれば、操作部材が開口を介して露出することにより、上側のカバー体を取り外すことなく、操作部材を操作することができる。
【００１４】
さらに、本発明において、前記フィードチェーンを案内支持するガイドフレームと、前記操作部材を支持する支持部材と、が備えられ、前記支持部材は、前記ガイドフレームに支持されていると好適である。
【００１５】
本特徴構成によれば、ガイドフレームは、重量物であるフィードチェーンを支持するほど剛性の高い部材であるところ、操作部材が支持部材を介してガイドフレームに支持されることになる。これにより、操作部材をしっかりと支持することができる。
【００１６】
さらに、本発明において、前記支持部材と前記脱穀装置の壁部とを連結するステーが備えられていると好適である。
【００１７】
本特徴構成によれば、支持部材がステーを介して脱穀装置の壁部にも支持されることになり、操作部材をよりしっかりと支持することができる。
【００１８】
さらに、本発明において、前記操作部材が、前記脱穀装置に支持されていると好適である。
【００１９】
本特徴構成によれば、操作部材が、脱穀装置のうちフィードチェーンが位置する側の横側部の前端に配置され、脱穀装置に支持されている。このため、アクチュエータを操作して扱胴を上昇させる際に、作業者が機体の側部位置において視覚により扱胴の状態を確認することが可能となる。また、操作部材が脱穀装置に支持されるため強固な支持が可能となる。
【００２０】
尚、例えば、フィードチェーンを案内するガイドレールを支持する部材等に操作部材を支持する構成も考えられるが、フィードチェーンは作動時に振動し、この振動が操作部材に伝わり操作部材を共振させる等の影響から、性能を低下させる等の不都合も想像できる。これに対し、操作部材を脱穀装置に支持することにより、フィードチェーンから操作部材に振動が伝わる現象を抑制し操作部材を良好な状態に維持することも可能となる。
【００２１】
さらに、本発明において、前記操作部材がフレームを介して前記脱穀装置の前端部に支持され、前記フレームが、前記操作部材を支持するブラケットと、前記ブラケットと前記脱穀装置の前壁部とを連結するアームとを備えており、前記アームが、前記フィードチェーンにおける搬送側経路と、前記フィードチェーンにおける戻り側経路との間を通る位置に配置されていると好適である。
【００２２】
本特徴構成によれば、これによると、側面視において、フィードチェーンの搬送側経路と戻り側経路との中間にアームを挿通することにより、側面視においてフィードチェーンが巻回される領域内に操作部材を配置できる。この構成ではフィードチェーンが巻回される領域の外部にフレームを配置する構成と比較して、フレームの小型化が可能となる。また、フレームがフィードチェーンの搬送側経路部によって覆われるため、アームにワラ屑等が溜まり難い。
【００２３】
さらに、本発明において、前記ブラケットが、前記操作部材を収容する収容部を有し、この収容部が下側に開放していると好適である。
【００２４】
本特徴構成によれば、フィードチェーンから落下するワラ屑や塵埃等が操作部材の近傍に到達することがあっても、操作部材を収容する収容部が下側に開放するため、収容部にワラ屑や塵埃等が滞留することがなく落下による排出に可能となる。これにより、例えば、ワラ屑や塵埃等に含まれる水分が操作部材に影響を与えることもない。
【００２５】
さらに、本発明において、前記収容部の下方に、下側ほど機体横方向での内側に位置するように傾斜する傾斜板が備えられていると好適である。
【００２６】
本特徴構成によれば、収容部から下方に落下するワラ屑や塵埃等が傾斜板に接触することにより機体横方向での内側に案内されることになり、ワラ屑や塵埃等が機体外方の圃場面に散乱することがない。
【００２７】
さらに、本発明において、前記アームが、断面形状が縦長の板材で成る主アーム部と、この主アーム部に上端が接続し、かつ、下側ほど前記主アーム部から離間する傾斜姿勢の板材で成る補強アーム部とを備えていると好適である。
【００２８】
本特徴構成によれば、主アーム部の曲げ剛性を高めると共に、主アーム部に上面にワラ屑や塵埃等が乗り掛かる状況であっても、これらを傾斜姿勢の補強アーム部が滑り落とすことが可能となり、アームの上面にワラ屑や塵埃等を滞留させる不都合を解消できる。
【００２９】
さらに、本発明において、前記ブラケットが、前記横側部において最横外側に位置するサイドカバーの内側に設けられていると好適である。
【００３０】
本特徴構成によれば、サイドカバーの内面に近接する位置に操作部材を配置し、例えば、サイドカバーに形成した開口から操作部材を操作できる。
【００３１】
さらに、本発明において、前記横側部において最横外側に位置するサイドカバーよりも突出しないと好適である。
【００３２】
本特徴構成によれば、作業者がサイドカバーの外面に手が触れることがあっても、誤って操作部材を操作することがなく、また、作業時に樹木の枝がサイドカバーに接触することがあっても操作部材が誤操作される現象が抑制される。
【図面の簡単な説明】
【００３３】
【図１】自脱型コンバインを示す左側面図である。
【図２】自脱型コンバインを示す平面図である。
【図３】脱穀装置を示す左側面図である。
【図４】扱胴フレームを下降させた状態の脱穀装置を示す背面図である。
【図５】扱胴フレームを上昇させた状態の脱穀装置を示す背面図である。
【図６】脱穀装置の左側部におけるフィードチェーンの搬送始端部の周囲を示す左側面図である。
【図７】操作スイッチの支持構造を示す左側面図である。
【図８】操作スイッチの支持構造を示す正面断面図である。
【図９】操作スイッチの支持構造を示す拡大正面断面図である。
【図１０】操作スイッチの支持構造を示す平面図である。
【図１１】第一の別実施形態に係る操作スイッチの支持構造を示す拡大正面断面図である。
【図１２】第二の別実施形態に係る操作スイッチの支持構造を示す拡大正面断面図である。
【図１３】第三の別実施形態に係る操作スイッチの支持構造を示す拡大正面断面図である。
【図１４】第八の別実施形態に係る脱穀装置の左側部におけるフィードチェーンの搬送始端部の周囲を示す左側面図である。
【図１５】第八の別実施形態の操作スイッチを支持するブラケットとフック係合フレームとの側面図である。
【図１６】第八の別実施形態のロック状態のロック機構を示す左側面図である。
【図１７】第八の別実施形態のロック状態のロック機構の部位を示す縦断正面図である。
【図１８】第八の別実施形態の脱穀装置の左側部におけるフィードチェーンの搬送始端部の周囲を示す左側面図である。
【図１９】第八の別実施形態のスイッチフレームの分解斜視図である。
【発明を実施するための形態】
【００３４】
以下、本発明の実施形態を図面に基づいて説明する。
〔コンバインの全体構成〕
図１及び図２には、自脱型コンバインを示している。本コンバインは、機体フレーム１と、機体フレーム１を支持する走行装置２と、を備えている。機体の前部における右側には、運転キャビン３が設けられている。運転キャビン３は、運転者が搭乗する運転部４と、運転部４を覆うキャビン５と、を備えている。運転部４の下方には、エンジン（図示省略）が設けられている。
【００３５】
運転キャビン３の前方には、植立穀稈を刈り取る刈取部６が設けられている。運転キャビン３の後方には、穀粒を貯留する穀粒貯留タンク７が設けられている。穀粒貯留タンク７内の穀粒を排出する穀粒排出装置８が設けられている。機体の左側部には、刈取穀稈を挟持搬送するフィードチェーン９が設けられている。穀粒貯留タンク７の左隣には、脱穀装置１０が設けられている。脱穀装置１０は、扱胴１１を有すると共にフィードチェーン９によって搬送される刈取穀稈を脱穀処理する。脱穀装置１０の後側には、排藁搬送装置１２が連設されている。排藁搬送装置１２は、フィードチェーン９から脱穀処理後の排藁を受け取って後方へ挟持搬送する。排藁搬送装置１２は、排藁フレーム（図示省略）によって支持されている。排藁搬送装置１２の搬送終端側部位の下方には、排藁搬送装置１２によって搬送された排藁を切断処理する排藁切断装置２８が設けられている。
【００３６】
刈取部６は、複数刈り仕様（例えば、六条刈り仕様）に構成されている。刈取部６は、複数（例えば、七個）の分草具１３と、複数（例えば、六個）の引起装置１４と、切断装置１５と、搬送装置１６と、を備えている。分草具１３は、圃場の植立穀稈を分草する。引起装置１４は、分草された植立穀稈を引き起こす。切断装置１５は、引き起こされた植立穀稈を切断する。搬送装置１６は、刈取穀稈を脱穀装置１０に向けて後方へ搬送する。
【００３７】
フィードチェーン９を案内支持するガイドフレーム２９が設けられている。ガイドフレーム２９は、フィードチェーン９のうち上側経路に対応する部分を案内支持している。ガイドフレーム２９は、フィードチェーン９のうち上側経路における搬送始端部と搬送終端部とに亘っている。
【００３８】
〔脱穀装置〕
図３に示すように、脱穀装置１０の上部には、扱室１７が形成されている。扱室１７には、扱胴１１が設けられている。扱胴１１は、機体前後方向に延びる回転軸心Ｙ１周りで回転可能である。扱胴１１の下方には、受網１８が設けられている。扱室１７の後方には、塵埃を外部に排出する排塵ファン１９が設けられている。
【００３９】
脱穀装置１０の下部には、選別対象物を揺動選別する揺動選別装置２０、揺動選別装置２０に選別風を送風する唐箕２１、一番物の穀粒（単粒化穀粒等）を回収する一番回収部２２、二番物の穀粒（枝梗付き穀粒等）を回収する二番回収部２３等が設けられている。
【００４０】
一番回収部２２には、一番物の穀粒を右方へ搬送する一番スクリュ２４が設けられている。一番スクリュ２４の右端部には、一番物の穀粒を穀粒貯留タンク７に揚穀搬送する揚穀装置２５が連動連結されている。
【００４１】
二番回収部２３には、二番物の穀粒を右方へ搬送する二番スクリュ２６が設けられている。二番スクリュ２６の右端部には、二番物の穀粒を揺動選別装置２０に還元する二番還元装置２７が連動連結されている。
【００４２】
図３から図５に示すように、扱室１７における前端部及び後端部には、夫々、壁部３４が設けられている。前側の壁部３４は、扱室１７の前壁部を構成している。後側の壁部３４は、扱室１７の後壁部を構成している。壁部３４は、可動壁３５と、固定壁３６と、を備えている。可動壁３５には、扱胴１１が扱胴軸１１ａを介して回転可能に支持されている。可動壁３５と固定壁３６とに亘って、これらを連結する連結アーム３７が設けられている。可動壁３５は、連結アーム３７を介して機体前後方向に延びる揺動軸心Ｙ２周りで上下揺動可能に固定壁３６に支持されている。前側の固定壁３６と後側の固定壁３６とに亘って、前記エンジンの動力が伝達される伝動軸３８が設けられている。脱穀装置１０の左右両側部には、夫々、機体前後方向に延びる前後向きフレーム４０Ｌ・４０Ｒが設けられている。
【００４３】
扱胴１１を上方から覆う扱胴カバー４２が設けられている。扱胴カバー４２の右隣には、右上部カバー４３が設けられている。右上部カバー４３は、機体前後方向に延びる揺動軸心周りで上下揺動可能に右側の前後向きフレーム４０Ｒに支持されている。
【００４４】
扱胴１１を支持すると共に揺動軸心Ｙ２周り上下揺動可能な扱胴フレーム４４が設けられている。扱胴フレーム４４は、前後一対の可動壁３５と、左側の前後向きフレーム４０Ｌと、を備えている。扱胴フレーム４４には、扱胴カバー４２も支持されている。
【００４５】
扱胴フレーム４４を上下揺動させるシリンダ４５（本発明に係る「アクチュエータ」に相当）が設けられている。シリンダ４５は、後側の可動壁３５と後側の固定壁３６とに亘って設けられている。本実施形態では、シリンダ４５は、電動シリンダによって構成されている。シリンダ４５の伸長動作によって扱胴フレーム４４が上昇し、シリンダ４５の縮長動作によって扱胴フレーム４４が下降する。
【００４６】
扱胴１１を、脱穀処理を行う脱穀処理位置に位置保持する扱胴ロック機構４６が設けられている。扱胴ロック機構４６は、前後一対のフックプレート４７と、前後一対の扱胴フックピン４８と、を備えている。前側の壁部３４及び後側の壁部３４の夫々に、フックプレート４７が機体前後方向に延びる揺動軸心Ｙ３周りで揺動可能に支持されている。フックプレート４７の先端部には、扱胴フックピン４８に係合可能なフック部４７ａが設けられている。フック部４７ａが扱胴フックピン４８に係合することにより、扱胴１１が脱穀処理位置に位置保持される。扱胴フックピン４８に対するフック部４７ａの係合が解除されることにより、扱胴フレーム４４と共に扱胴１１がシリンダ４５によって上方に揺動される。前後一対のフックプレート４７を揺動駆動するモータＭが、後側の壁部３４の後面に支持されている。モータＭによって、前後一対のフックプレート４７が係合側及び係合解除側に揺動される。
【００４７】
〔サイドカバー〕
図１に示すように、脱穀装置１０のうちフィードチェーン９が位置する側の横側部（左側部）における機体最横外側には、サイドカバー５０が設けられている。サイドカバー５０は、脱穀装置１０の左側壁を覆うものであり、当該左側壁に対して着脱可能である。サイドカバー５０は、上側のカバー体５１と下側のカバー体５２とに上下に分割されて構成されている。上側のカバー体５１は、前側の上カバー体５３と後側の上カバー体５４とに前後に分割されて構成されている。下側のカバー体５２は、前側の下カバー体５５と後側の下カバー体５６とに前後に分割されて構成されている。
【００４８】
図６から図８に示すように、前側の上カバー体５３を脱穀装置１０の左側壁に対して着脱可能に取り付ける前後一対のロック機構５７が設けられている。前側のロック機構５７は、フック係合フレーム５８と、フック係合フレーム５８に係合可能なフック５９、受け具６０Ａ、フック体６０Ｂと、フック５９を係合解除操作するハンドル６１と、を備えている。
【００４９】
フック係合フレーム５８は、丸棒部材が折り曲げられて構成されている。フック係合フレーム５８は、支持フレーム６３から後方に張り出す状態で支持フレーム６３に支持されている。ガイドフレーム２９の前部には、支持フレーム６３が取り付けられる取り付け部６４が設けられている。支持フレーム６３は、取り付け部６４から下方に延びている。取り付け部６４には、支持フレーム６３の上端部がボルト固定されている。
【００５０】
〔操作スイッチ〕
図６から図１０に示すように、シリンダ４５を操作する操作スイッチ６２（本発明に係る「操作部材」に相当）が設けられている。操作スイッチ６２は、シリンダ４５を制御する制御装置（図示省略）に対して、シリンダ４５の伸長動作によって扱胴フレーム４４を上昇させる上昇指令と、シリンダ４５の縮長動作によって扱胴フレーム４４を下降させる下降指令とを発する。操作スイッチ６２は、上昇指令を発する上昇操作部６２ａと、下降指令を発する下降操作部６２ｂと、配線Ｗが接続される接続部６２ｃと、を備えている。上昇操作部６２ａを押し操作している間だけ、扱胴フレーム４４が上昇し、下降操作部６２ｂを押し操作している間だけ、扱胴フレーム４４が下降する。
【００５１】
操作スイッチ６２は、脱穀装置１０の左側部における前端部に配置されている。すなわち、操作スイッチ６２は、脱穀装置１０の穀稈入口付近に配置されている。操作スイッチ６２は、側面視において、前側のハンドル６１に対して前下方に位置している。操作スイッチ６２は、前側の上カバー体５３の前端部に対応する高さに位置している。言い換えると、操作スイッチ６２は、フィードチェーン９の搬送始端部に対応する高さに位置している。具体的には、操作スイッチ６２は、フィードチェーン９の下側経路における搬送始端部の下端Ｐよりも下側で、かつ、前側の上カバー体５３と前側の下カバー体５５との境界よりも上側に位置している。
【００５２】
ここで、図１及び図６において、機体に対して左側の圃場における未刈り穀稈の高さをＨで表している。なお、図に示す未刈り穀稈の高さＨは、例示であり、多少上下することがある。操作スイッチ６２は、未刈り穀稈の高さＨよりも高い位置に位置している。本実施形態によれば、操作スイッチ６２が操作スイッチ６２の近くに立った作業者の目線の高さに近付くことになり、作業者が操作スイッチ６２を視認し易い（図１参照）。
【００５３】
前側の上カバー体５３には、操作スイッチ６２が露出する開口５３ａが形成されている。開口５３ａは、略四角形状（具体的には、若干横長の略長方形状）の開口である。前側の上カバー体５３のうち開口５３ａに対応する部分は、その周囲よりも前側の上カバー体５３の裏面側に凹入している。操作スイッチ６２は、開口５３ａから露出しているが、開口５３ａから機体横外側（左側）に出っ張っていない。
【００５４】
ここで、操作スイッチ６２は、前側の上カバー体５３に取り付けられていない。したがって、前側の上カバー体５３が取り付けられた状態では、操作スイッチ６２を開口５３ａを通して操作することができると共に、前側の上カバー体５３が取り外されても、操作スイッチ６２が機体側に残ることになり、前側の上カバー体５３が取り外された状態でも、操作スイッチ６２を操作することができる。また、前側の上カバー体５３を取り外す際に、配線Ｗを接続部６２ｃから取り外す必要がない。
【００５５】
〔操作スイッチの支持構造〕
図７から図１０に示すように、操作スイッチ６２は、支持フレーム６３及び支持ブラケット６６に支持されている。支持フレーム６３及び支持ブラケット６６は、本発明に係る「支持部材」に相当する。支持フレーム６３及び支持ブラケット６６は、取り付け部６４を介してガイドフレーム２９に支持されている。操作スイッチ６２は、その操作面が機体横外側（左側）の真横を向く姿勢で配置されている。支持ブラケット６６は、支持フレーム６３から前方に張り出す状態で支持フレーム６３に支持されている。すなわち、支持フレーム６３は、支持ブラケット６６用とフック係合フレーム５８用とに兼用されている。
【００５６】
支持ブラケット６６は、操作スイッチ６２を収容する収容部６７と、操作スイッチ６２が取り付けられる取り付け部６８と、取り付け部６８を支持する支持部６９と、を備えている。収容部６７は、機体横内側（右側）に開口する箱状部材によって構成されている。収容部６７は、その外側面が垂直になる姿勢で支持フレーム６３に支持されている。取り付け部６８には、操作スイッチ６２が嵌め込まれる嵌め込み孔６８ａが形成されている。支持部６９は、板状部材が折り曲げられて構成されており、その両端部が収容部６７の内側面に固定されている。支持部６９の内部には、取り付け部６８が固定されている。
【００５７】
支持フレーム６３と脱穀装置１０の前壁部１０Ａ（本発明に係る「脱穀装置の壁部」に相当）とを連結するステー７０が設けられている。ステー７０は、機体左右方向に延びる横向き部７１と、横向き部７１の左端部に設けられる左固定部７２と、横向き部７１の右端部に設けられる右固定部７３と、を備えている。右固定部７３は、前壁部１０Ａにボルト固定されている。支持フレーム６３の下部には、左固定部７２がボルト固定される被固定部７４が設けられている。横向き部７１に沿って操作スイッチ６２用の配線Ｗを配策することができる。
【００５８】
操作スイッチ６２を機体横外側（左側）から覆うスイッチカバー７５が設けられている。スイッチカバー７５は、透明な弾性体（例えば、透明なビニール製のシート）によって構成されている。スイッチカバー７５は、支持ブラケット６６のうち上面から左側面の下端部まで亘る程度の上下長さを有し、かつ、支持ブラケット６６の前後長さと同程度の前後長さを有している。スイッチカバー７５は、支持ブラケット６６の左側面と前側の上カバー体５３の内側面との間に介在している。
【００５９】
〔別実施形態〕
（１）図１１に示すように、操作スイッチ６２をその操作面が左上方を向く傾斜姿勢で配置してもよい。この場合、収容部６７は、その外側面が左上方を向く傾斜姿勢で支持フレーム６３に支持されている。これにより、操作スイッチ６２の近くに立った作業者が操作スイッチ６２を斜め下方に見下ろす際に、操作スイッチ６２をより視認し易い（図１参照）。
【００６０】
（２）図１２に示すように、収容部６７の底部が下側に開口されていてもよい。これにより、藁屑等を当該開口から落とすことができる。
【００６１】
（３）図１３に示すように、スイッチカバー７５に、操作スイッチ６２の形状に合う形状部分が形成されていてもよい。この場合、操作スイッチ６２は、収容部６７に取り付けられている。あるいは、スイッチカバー７５が設けられていなくてもよい。
【００６２】
（４）上記実施形態において、前記排藁フレームを扱胴フレーム４４と共に揺動軸心Ｙ２周りで上下揺動可能に構成してもよい。
【００６３】
（５）上記実施形態では、本発明に係る「操作部材」に相当が操作スイッチ６２によって構成されているが、操作レバーによって構成されていてもよい。
【００６４】
（６）上記実施形態では、本発明に係る「アクチュエータ」がシリンダ４５（電動シリンダ）によって構成されているが、油圧シリンダあるいはモータによって構成されていてもよい。
【００６５】
（７）上記実施形態では、前側の上カバー体５３に開口５３ａが形成されているが、開口５３ａが形成されていなくてもよい。また、開口５３ａ有りの仕様（例えば、操作スイッチ６２を備える仕様）と開口５３ａ無しの仕様（例えば、操作スイッチ６２を備えない仕様）とで、前側の上カバー体５３を成形する型を兼用するようにしてもよい。この場合、開口５３ａ無しの仕様において、前側の上カバー体５３のうち開口５３ａが塞がれている部分を、例えば、注意マークを貼り付ける場所として利用することができる。
【００６６】
（８）操作スイッチ６２の支持構造として、図１４〜図１９に示す構成を採用しても良い。
【００６７】
〔サイドカバー〕
図１４に示すように、脱穀装置１０のうちフィードチェーン９が配置された横側部（左側部）における機体最横外側には、脱穀装置１０の左側を覆うサイドカバー５０が設けられている。サイドカバー５０は、上側の上部カバー体５１と下側の下部カバー体５２とで構成されている。上部カバー体５１は、前後方向で２分割されている。これと同様に下部カバー体５２は、前後方向で２分割されている。
【００６８】
図１４、図１６、図１７に示すように、前側の上部カバー体５１は、ロック機構１５７により脱穀装置１０の左側の側壁に対して着脱自在に取り付けられている。ロック機構１５７は、フック係合フレーム１５８と、フック係合フレーム１５８に係合可能なフック１５９と、受け具１６０Ａと、フック１６０Ｂと、フック１５９を係合解除操作するハンドル１６１とを備えている。
【００６９】
サイドカバー５０を構成する上部カバー体５１と、下部カバー体５２とは、図１４、図１６、図１７に示す構造と共通する構造のロック機構１５７によりロック状態で保持され、ロック機構１５７のロックを解除することで取り外し可能に支持されている。
【００７０】
図１５〜図１７に示すように、脱穀装置１０の前壁部１０Ａ（脱穀装置１０の前端部の具体例）に対して固定板１７１を介して外方に突出する姿勢でステー１７０が備えられている。このステー１７０は、全体が棒状であり、突出端の支持板１７２を介して支持フレーム１７７に連結している。
【００７１】
支持フレーム１７７は、縦長姿勢に設定され上端に取付部１７６を介してガイドフレーム２９が備えられている。この支持フレーム１７７は、下部に保持板１７３を備えており、この保持板１７３に対して支持板１７２がボルトにより連結する。
【００７２】
この支持フレーム１７７に対してフック係合フレーム１５８が支持されている。このフック係合フレーム１５８は折り曲げられた丸棒部材で構成されている。このフック係合フレーム１５８では、上部と下部との平行姿勢の被係合フレーム部を備える形態となり、上部の被係合フレーム部に受け具１６０Ａが係合し、下部の被係合フレーム部にフック１６０Ｂが係合する。また、ロック機構１５７がロック状態にある場合に上部の被係合フレーム部にフック１５９が係合する。
【００７３】
〔操作スイッチ〕
図１４〜図１９に示すように、上部カバー体５１の前端位置の外側から操作できるように操作スイッチ６２（操作部材）を備えている。この操作スイッチ６２は、ケース状のスイッチ本体に対し上側の上昇操作部６２ａを押し込む操作と、下側の下降操作部６２ｂを押し込む操作とを行え、これらの操作を検知できるように構成されている。
【００７４】
脱穀装置１０は、実施形態で説明したようにモータＭとシリンダ４５（図４、図５を参照）とを制御する制御装置（図示せず）を備えており、この制御装置は、操作スイッチ６２が操作された際の操作信号を取得と共に、モータＭとシリンダ４５とに制御信号を出力する。
【００７５】
図１４、図１８に示すように、上部カバー体５１には、操作スイッチ６２の上昇操作部６２ａと下降操作部６２ｂとを有する操作面を露出させる孔部５１ａが形成されている。孔部５１ａは、略四角形状であり、上部カバー体５１において孔部５１ａに対応する部分は、その周囲より窪んだ形状に成形されている。この構成では、操作スイッチ６２が上部カバー体５１に埋め込まれるように配置され、操作スイッチ６２の操作部面が、上部カバー体５１の外壁面５１ｓより外方に突出しないように操作部面と上部カバー体５１の外壁面との位置関係が設定されている。
【００７６】
〔操作スイッチの支持構造〕
図１４、図１５、図１８、図１９に示すように、操作スイッチ６２（操作部材）は、スイッチフレームＦを介して脱穀装置１０の前壁部１０Ａ（脱穀装置１０の前部位置の具体例）に支持されている。
【００７７】
スイッチフレームＦは、操作スイッチ６２を収容するブラケット１６４と、このブラケット１６４の上部に連結する縦向き姿勢の上部プレート１６５と、上部プレート１６５の上端部に連結し、水平方向に延びる中間アーム１６６とを備えている。この操作スイッチ６２の下側には、下側ほど機体内側に傾斜する姿勢の傾斜板１５５が配置されている。この傾斜板１５５は、サイドカバー５０の内面において、傾斜姿勢で支持された板材で構成されている。
【００７８】
このスイッチフレームＦではブラケット１６４の裏面側（機体の内方に向かう側）にスイッチ収容部１６４ｓ（収容部の具体構成）を形成しており、このスイッチ収容部１６４ｓにおいて操作スイッチ６２を覆うカバー部材１６７を備えている。このような構成から、操作スイッチ６２は、スイッチ収容部１６４ｓに嵌め込まれ、カバー部材１６７により上部と一方の側部とが覆われる状態で支持される。
【００７９】
中間アーム１６６は、帯板材で形成されるものであり、機体の左右方向に延びる主アーム部１６６ａと、この主アーム部１６６ａの内端側において上部プレート１６５と平行する姿勢に屈曲する連結部１６６ｂとを備えている。また、連結部１６６ｂは脱穀装置１０の前端部から前側に突出する支持部材１０Ｂにボルトにより連結する。
【００８０】
更に、主アーム部１６６ａには、この主アーム部１６６ａの上部に溶接により接続し、かつ、下側ほど主アーム部１６６ａから離間する傾斜姿勢の板材で成る補強アーム部１６６ｃを備えている。この補強アーム部１６６ｃの外端部は上部プレート１６５に溶接固定され、内端部は連結部１６６ｂに溶接固定されている。
【００８１】
このスイッチフレームＦはブラケット１６４の上部に上部プレート１６５を溶接固定し、上部プレート１６５の上端に中間アーム１６６の主アーム部１６６ａの外端を溶接固定している。特に、主アーム部１６６ａは、フィードチェーン９の搬送側経路（ガイドフレーム２９で支持される側）と、戻り側経路（ガイドフレーム２９から下側に離間した側）との間の空間を挿通する位置に配置されている。
【００８２】
図１９に示すように、ブラケット１６４は、外面側の縦壁１６４ａと、機体の前後方向に配置される一対の側壁１６４ｂと、上部壁１６４ｃとを備えることにより、機体内方と、下方とに開放した構造を有している。更に、カバー部材１６７は単一の側壁部１６７ａと、上壁部１６７ｂとを備えることにより、機体内方と下方とに開放した構造を有している。
【００８３】
ブラケット１６４の外面側の縦壁１６４ａには貫通孔状の開口１６４ｄが形成され、この開口１６４ｄから、操作部面が露出するように操作スイッチ６２のスイッチ本体がブラケット１６４に備えられる。このように操作スイッチ６２を備えた状態では、操作スイッチ６２の下方が開放するためワラ屑や塵埃等が操作スイッチ６２に付着することなく、自重により下方に排出される。
【００８４】
図１５、図１８に示すように、スイッチフレームＦに支持される操作スイッチ６２は、フィードチェーン９の搬送側経路と、戻り側経路より低い位置に配置され、操作スイッチ６２の操作状態を取り出す配線は、フィードチェーン９の下側に配置されることになる。更に、図１８に示すように、ブラケット１６４の上部壁１６４ｃから縦壁１６４ａを覆うスイッチカバー１７５を備えている、このスイッチカバー１７５は、透明で柔軟に変形し得るビニール材等の樹脂シートで構成され、上部カバー体５１の内面とブラケット１６４の縦壁１６４ａの外面とに挟み込まれる状態で配置される。
【００８５】
〔別実施形態（８）の作用効果〕
このように操作スイッチ６２を、フィードチェーン９より外側の上部カバー体５１の外面に露出させる形態で備えているため、作業者が扱胴１１（図３〜図５等を参照）の位置を確認しながら扱胴１１を上昇させることが可能となる。また、扱胴１１が上昇する状況では扱胴１１が開放する方向に作業者が位置するため、扱室１７（図３を参照）の内部の確認が容易となり、例えば、内部の穀稈の除去も容易に行える。
【００８６】
特に、操作スイッチ６２の操作面が上部カバー体５１の孔部５１ａから露出するように配置されるものの、上部カバー体５１の外壁面５１ｓから突出しない位置に配置されているため、作業者が誤って操作部面に触れる不都合を解消し、作業時に樹木の枝がサイドカバー５０に接触することがあっても操作スイッチ６２が誤操作される不都合も解消される。
【００８７】
また、スイッチフレームＦを介して操作スイッチ６２を脱穀装置１０に支持することにより、フィードチェーン９からの振動を操作スイッチ６２に伝えることのない状態で支持することが可能となり、操作スイッチ６２を共振させることや、性能を低下させる不都合を招くことがない。
【００８８】
この構成では、スイッチフレームＦを構成するブラケット１６４のスイッチ支持空間が下方に開放する構成であるため、支持空間にワラ屑や塵埃等が侵入しても、これらが滞留することなく落下により排出される。これにより、例えば、ワラ屑や塵埃等に含まれる水分がスイッチに影響を与えることもない。
【００８９】
更に、スイッチフレームＦを構成する主アーム部１６６ａに補強アーム部１６６ｃを備えることにより、主アーム部１６６ａを向上させると共に、この補強アーム部１６６ｃが傾斜姿勢で備えられるため、補強アーム部１６６ｃにワラ屑や塵埃が乗り掛かっても、滑り落とすことが可能となり、ワラ屑や塵埃が残留する不都合も解消される。また、傾斜板１５５を備えることにより、ワラ屑や塵埃を機体外方の圃場面に散乱させることもない。
【００９０】
（９）別実施形態（８）に示した構成に代えて、スイッチフレームＦを構成する中間アーム１６６を、フィードチェーン９の戻り側経路の下側に配置しても良い。このように中間アーム１６６を配置するものでは、別実施形態（８）に示したように、フィードチェーン９の搬送側経路と、戻り側経路との中間に挿通するものと比較して配置が容易となり、例えば、中間アーム１６６として角パイプ材等の高い強度のものを用いることにより一層強固に操作スイッチ６２を支持することも可能となる。
【００９１】
（１０）スイッチフレームＦの構造は、別実施形態（８）に示したものに限るものではなく、例えば、中間アーム１６６の外端位置に対して直接的にブラケット６４を備えるように構成することも可能である。このような構成では、スイッチフレームＦの部品点数を少なくして製造を容易にするだけでなく、コストの低減も可能となる。
【産業上の利用可能性】
【００９２】
本発明は、コンバイン（例えば、自脱型コンバイン）に利用可能である。
【符号の説明】
【００９３】
９        フィードチェーン
１０      脱穀装置
１０Ａ    前壁部（脱穀装置の壁部）
１１      扱胴
２９      ガイドフレーム
４４      扱胴フレーム
４５      シリンダ（アクチュエータ）
５０      サイドカバー
５１      上側のカバー体
５３ａ    開口
６２      操作スイッチ（操作部材）
６３      支持フレーム（支持部材）
６６      支持ブラケット（支持部材）
７０      ステー
１５５    傾斜板
１６４    ブラケット
１６４ｓ  スイッチ収容部
１６６    中間アーム（アーム）
１６６ａ  主アーム部
１６６ｃ  補強アーム部
Ｆ        スイッチフレーム（フレーム）
【図１】
2019097558.tif 000003
【図２】
2019097558.tif 000004
【図３】
2019097558.tif 000005
【図４】
2019097558.tif 000006
【図５】
2019097558.tif 000007
【図６】
2019097558.tif 000008
【図７】
2019097558.tif 000009
【図８】
2019097558.tif 000010
【図９】
2019097558.tif 000011
【図１０】
2019097558.tif 000012
【図１１】
2019097558.tif 000013
【図１２】
2019097558.tif 000014
【図１３】
2019097558.tif 000015
【図１４】
2019097558.tif 000016
【図１５】
2019097558.tif 000017
【図１６】
2019097558.tif 000018
【図１７】
2019097558.tif 000019
【図１８】
2019097558.tif 000020
【図１９】
2019097558.tif 000021